(57)【要約】【課題】照明装置自体の美観を向上させることができると共に、当該照明装置による照明効果の向上を図ることができるショーケースを提供する。【解決手段】本発明のショーケース１は、本体（断熱箱体２）内に構成された陳列室５内を照明装置１５により照明して成るものであって、照明装置１５は、ＬＥＤ素子１７を備えたＬＥＤ照明部材１６と、該ＬＥＤ照明部材１６を保持して本体に取り付けられる保持部材２１とから構成されており、該保持部材２１には、ＬＥＤ照明部材１６のリード線４９を収納するリード線収納部２３が構成されている。【選択図】図４
2009195273.tif 000002
【特許請求の範囲】
【請求項１】
本体内に構成された陳列室内を照明装置により照明して成るショーケースにおいて、
前記照明装置は、ＬＥＤ素子を備えたＬＥＤ照明部材と、該ＬＥＤ照明部材を保持して前記本体に取り付けられる保持部材とから構成されており、該保持部材には、前記ＬＥＤ照明部材のリード線を収納するリード線収納部が構成されていることを特徴とするショーケース。
【請求項２】
前記ＬＥＤ照明部材は、列を成す複数の前記ＬＥＤ素子を備え、前記保持部材には、前記各ＬＥＤ素子からの光の照射方向に位置してシェードが取り付けられており、該シェードの断面形状は、前記ＬＥＤ素子の列の長手方向に進行する波形とされていることを特徴とする請求項１に記載のショーケース。
【請求項３】
前記照明装置の端部に位置する部分の前記シェードの断面形状は、他の部分の断面形状よりも、前記ＬＥＤ素子からの光を当該ＬＥＤ素子の列の長手方向に大きく屈折させる波形とされていることを特徴とする請求項２に記載のショーケース。
【請求項４】
前記保持部材には、前記ＬＥＤ素子から前記シェードに至る光の照射経路の両側に位置して、前記ＬＥＤ素子から離間するに従って相互に離間する一対の反射板が取り付けられていることを特徴とする請求項２又は請求項３のショーケース。
【請求項５】
前記ＬＥＤ照明部材は、表面に前記複数のＬＥＤ素子を備えた基板を備え、前記保持部材は金属から構成されており、該保持部材には、前記ＬＥＤ素子の裏側に対応する位置の前記基板裏面に当接する放熱用リブが形成されていることを特徴とする請求項１乃至請求項４の何れかに記載のショーケース。
【発明の詳細な説明】
【技術分野】
【０００１】
本発明は、本体内に構成された陳列室内を照明装置により照明してなるショーケースに関するものである。
【背景技術】
【０００２】
従来この種のショーケース、特に、陳列室の前面開口を透視可能な扉にて開閉自在に閉塞し、開口縁内側の本体に上下に渡って照明装置を取り付けているショーケースでは、前面開口縁中央部又は開口縁両側に上下方向の支柱を立設し、この支柱後面に蛍光灯を取り付け、陳列室内を前方から照明している（例えば、特許文献１及び特許文献２参照）。
【特許文献１】特開平８−２２４１５０号公報
【特許文献２】実用新案登録第２５４６３０２号公報
【発明の開示】
【発明が解決しようとする課題】
【０００３】
ところが、従来のショーケースにおいて、照明装置として用いられている蛍光灯は、経年劣化による輝度の低下や点灯不良により、交換作業が余儀なくされる。そのため、使用者は、蛍光灯の交換作業を強いられることとなり、作業が煩雑となる問題がある。交換のため新しい蛍光灯を常備しておく必要があり、当該蛍光灯の保管場所を確保する必要がある。更には、当該蛍光灯内に水銀が含有されていることから、使用後の蛍光灯を容易に廃棄することができないという問題があった。
【０００４】
また、蛍光灯を陳列室内に取り付けるためには、ソケットや安定器等の部品が必要となるため、取付位置には蛍光灯のみならず、ソケットや安定器などの取付場所をも確保する必要がある。また、それぞれの蛍光灯に給電を行うためのリード線接続を行わなければならず、組立作業性が悪化すると共に、部品点数の増加と生産コストの高騰を招く問題があった。更には、蛍光灯は交流を使用するためチラツキが生じる問題があり、目に悪影響を及ぼす問題がある。
【０００５】
そこで、近年では、陳列室内を照明する手段としてＬＥＤ素子を用いた照明装置が採用されている。このとき、各ＬＥＤ素子に給電を行うためのリード線は、ＬＥＤ素子が取り付けられる基板の側方に配置され、シェードによってＬＥＤ素子と共に隠蔽されていた。
【０００６】
しかしながら、シェードは、光透過性を確保すべく、透光性の無色透明の材料により構成されているため、当該リード線が外方から透けて見えてしまい、美観を損ねる問題があった。特に、ＬＥＤ素子を用いた照明装置では、蛍光灯の場合と異なり、基板に設けられるため、照明装置自体によって、リード線を外観から隠すことは困難であった。また、当該ＬＥＤ照明装置を複数のＬＥＤ照明部材から構成し、当該照明部材を取付位置変更自在に設けている場合には、位置変更作業時にリード線が邪魔となる不都合があった。
【０００７】
また、ＬＥＤ素子による照明装置では、蛍光灯と異なり、チップタイプのＬＥＤ素子を長手方向に並べて列をなして設けられる。そのため、シェードを透過する光は、強い点光源の列によって構成され、眩しいという不都合がある。
【０００８】
本発明は、従来の技術的課題を解決するために成されたものであり、照明装置自体の美観を向上させることができると共に、当該照明装置による照明効果の向上を図ることができるショーケースを提供する。
【課題を解決するための手段】
【０００９】
本発明のショーケースは、本体内に構成された陳列室内を照明装置により照明して成るものであって、照明装置は、ＬＥＤ素子を備えたＬＥＤ照明部材と、該ＬＥＤ照明部材を保持して本体に取り付けられる保持部材とから構成されており、該保持部材には、ＬＥＤ照明部材のリード線を収納するリード線収納部が構成されていることを特徴とする。
【００１０】
請求項２の発明のショーケースは、上記発明において、ＬＥＤ照明部材は、列を成す複数のＬＥＤ素子を備え、保持部材には、各ＬＥＤ素子からの光の照射方向に位置してシェードが取り付けられており、該シェードの断面形状は、ＬＥＤ素子の列の長手方向に進行する波形とされていることを特徴とする。
【００１１】
請求項３の発明のショーケースは、上記発明において、照明装置の端部に位置する部分のシェードの断面形状は、他の部分の断面形状よりも、ＬＥＤ素子からの光を当該ＬＥＤ素子の列の長手方向に大きく屈折させる波形とされていることを特徴とする。
【００１２】
請求項４の発明のショーケースは、上記請求項２又は請求項３の発明において、保持部材には、ＬＥＤ素子からシェードに至る光の照射経路の両側に位置して、ＬＥＤ素子から離間するに従って相互に離間する一対の反射板が取り付けられていることを特徴とする。
【００１３】
請求項５の発明のショーケースは、上記各発明において、ＬＥＤ照明部材は、表面に複数のＬＥＤ素子を備えた基板を備え、保持部材は金属から構成されており、該保持部材には、ＬＥＤ素子の裏側に対応する位置の基板裏面に当接する放熱用リブが形成されていることを特徴とする。
【発明の効果】
【００１４】
本発明によれば、本体内に構成された陳列室内を照明装置により照明して成るショーケースにおいて、照明装置は、ＬＥＤ素子を備えたＬＥＤ照明部材と、該ＬＥＤ照明部材を保持して本体に取り付けられる保持部材とから構成されており、該保持部材には、ＬＥＤ照明部材のリード線を収納するリード線収納部が構成されているので、ＬＥＤ照明部材のリード線を容易に保持部材のリード線収納部に格納することが可能となる。
【００１５】
これにより、ＬＥＤ照明部材のメンテナンス時などにおいて、リード線を不用意に引っ張ってしまうなどの不都合を解消することができ、安全性の向上、更には、リード線を隠すことが可能となり、外観の向上を図ることが可能となる。
【００１６】
請求項２の発明によれば、上記発明に加えて、ＬＥＤ照明部材は、列を成す複数のＬＥＤ素子を備え、保持部材には、各ＬＥＤ素子からの光の照射方向に位置してシェードが取り付けられており、該シェードの断面形状は、ＬＥＤ素子の列の長手方向に進行する波形とされているので、シェードによってＬＥＤ素子からの強い照射光を拡散することができる。また、このシェードには、ＬＥＤ素子の列の長手方向に向けて光が屈折されるので、光の不連続感を緩和することができる。これにより、外観の向上を図ることができる。
【００１７】
請求項３の発明によれば、上記発明に加えて、照明装置の端部に位置する部分のシェードの断面形状は、他の部分の断面形状よりも、ＬＥＤ素子からの光を当該ＬＥＤ素子の列の長手方向に大きく屈折させる波形とされているので、照明装置端部の光を長手方向に大きく屈折させることができ、例えば、シェードが上下に取り付けられる場合には天井方向まで明るく照明することが可能となる。
【００１８】
請求項４の発明によれば、上記請求項２又は請求項３の発明に加えて、保持部材には、ＬＥＤ素子からシェードに至る光の照射経路の両側に位置して、ＬＥＤ素子から離間するに従って相互に離間する一対の反射板が取り付けられているので、ＬＥＤ素子からの照射光をこれら反射板に反射させて、効果的に陳列室内を照明することが可能となる。
【００１９】
請求項５の発明によれば、上記各発明において、ＬＥＤ照明部材は、表面に複数のＬＥＤ素子を備えた基板を備え、保持部材は金属から構成されており、該保持部材には、ＬＥＤ素子の裏側に対応する位置の基板裏面に当接する放熱用リブが形成されているので、当該金属製の保持部材を伝ってＬＥＤ素子からの熱を円滑に放熱させることが可能となる。従って、ＬＥＤ照明部材の劣化や故障を防止・抑制することができる。
【発明を実施するための最良の形態】
【００２０】
以下、図面に基づいて本発明の実施形態を詳述する。図１は本発明を適用したショーケース１の正面図、図２はショーケース１の部分拡大断面図を示している。ショーケース１は、スーパーマーケットやコンビニエンスストアなどに設置される低温ショーケースで、前面に開口した断熱箱体（断熱壁）２により本体が構成されている。
【００２１】
この断熱箱体２は、前面に開口する鋼板製の外箱３と、この外箱３内に間隔を存して組み込まれ、前面に開口する鋼板若しくは硬質樹脂製の図示しない内箱と、外箱３及び内箱間に発泡充填された発泡ポリウレタンからなる断熱材にて構成されている。
【００２２】
この内箱内に陳列室５が構成されると共に、陳列室５の前面開口６の上端から下端に渡って内部を透視可能とされる複数（本実施例では３つ）の回動式のガラス扉７、７、７にて開閉自在に閉塞されている。このガラス扉７は、扉縁部を構成する枠体７Ａと、当該枠体７Ａ内に設けられる内部を透視可能なガラス板７Ｂとから構成されており、枠体７Ａの後面には、ガスケット７Ｃが設けられている。
【００２３】
断熱箱体２の前面開口６縁には、所定間隔を存して複数（この場合、扉７が３つ設けられているため、２つ）の支柱８が上下に渡って設けられている。係る支柱８は、例えば断熱材によって構成される柱状の部材である。そのため、各ガラス扉７は、後面のガスケット７Ｃが前面開口６縁部と、支柱８前面とに密着することにより、陳列室５内を閉塞している。
【００２４】
また、陳列室５の背面及び前部には、上下に渡って棚支柱１０が立設されており、当該棚支柱１０には、複数段の棚９が架設されている。なお、当該棚支柱１０には、所定間隔を存して複数の係合孔が形成されており、棚９を架設する係合孔を変更することにより、棚９の高さ位置を変更することができる。
【００２５】
なお、本実施例では、前記支柱８の後方に対応して陳列室５の背面及び前部に棚支柱１０が設けられている。そのため、各棚９は、各ガラス扉７の後方に対応してそれぞれ複数段架設されている。
【００２６】
また、陳列室５内上部には、図示しない冷却装置の冷却器と送風機が設置されている。冷却器は、別置きで設置される図示しない圧縮機及び凝縮器等と所謂冷凍サイクルを構成する冷却装置を構成するものであり、この冷却器からの冷気を送風機にて陳列室５に強制循環することによって、陳列室５内は所定の温度に冷却される。
【００２７】
次に、上記図２乃至図４を参照して陳列室５内に設けられる照明装置１５について詳述する。図３は照明装置１５のＬＥＤ素子を正面から見た図、図４は支柱８に設けられる照明装置１５の横断面図、図５は照明装置１５のシェード３０の断面形状を示す図４のＢ−Ｂ断面図をそれぞれ示している。
【００２８】
本実施例において、本体を構成する断熱箱体２の開口６縁内側、具体的には、陳列室５の前隅角部及び支柱８の後面には、上下に渡って照明装置１５が設けられている。この照明装置１５は、複数のＬＥＤ照明部材１６と、当該ＬＥＤ照明部材１６を保持して断熱箱体２の開口６縁内側に取り付けられる保持部材２１と、シェード３０、カバー部材３１とから構成されている。
【００２９】
ＬＥＤ照明部材１６は、複数のＬＥＤ素子１７が配設された基板１８により構成されている。基板１８は、長手方向に延在して構成されており、当該基板１８には、所定間隔を存して複数のＬＥＤ素子１７が列を成して取り付けられている。本実施例におけるＬＥＤ素子１７は、チップタイプの白色のＬＥＤ素子である。
【００３０】
保持部材２１は、断熱箱体２の前面開口６に対し上下に延在して構成される部材であり、熱良導性の金属、例えばアルミニウム材料により構成されている。この保持部材２１の前壁は支柱８の後面に当接して取り付けられる取付面２２とされている。本実施例において、保持部材２１は両側方（両斜め後ろ方向）に向けて照明するため、断面略コ字状の２つの保持部３２、３２を一体として背中合わせにした形状とされており、中央前後に延在する軸４１上に形成される仕切壁２４を中心として線対称にて構成されている。
【００３１】
仕切壁２４の前部内方には、放熱用通路３３が形成されており、当該放熱用通路３３を構成する仕切壁２４前部両面には、ＬＥＤ照明部材１６の前端を着脱自在に係合して保持する照明保持部４５がそれぞれ形成されている。そして、仕切壁２４の後部(中央部より後より)両面には、前記照明保持部４５と共に、ＬＥＤ照明部材１６の後端を着脱自在に係合して保持する照明保持部４６がそれぞれ形成されている。
【００３２】
ここで、仕切壁２４の前部両面は、内部に所定の空間が確保される放熱用通路３３が形成されているため、当該仕切壁２４の照明保持部４５、４６に取り付けられるＬＥＤ照明部材１６は、前端よりも後端が前記軸４１に近接して設けられる。従ってＬＥＤ照明部材１６は、所定角度にて側方よりも少許後方に向けて取り付けられる。
【００３３】
また、各照明保持部４５、４６間に位置する仕切壁２４の両側面には、取り付けられるＬＥＤ照明部材１６の裏側に当接する放熱用リブ４８、４８が仕切壁２４と一体に形成されている。
【００３４】
そして、前記放熱用通路３３の両側方に位置する各保持部３２の前壁前部内には、ＬＥＤ照明部材１６の各ＬＥＤ素子１７への給電を行うリード線４９を収納するためのリード線収納部２３が形成されている。
【００３５】
リード線収容部２３の後方に位置する保持部３２の前壁には、仕切壁２４側から開口部に渡って延在する反射板保持部４４が形成されている。この反射板保持部４４の両端には、一方の反射板２８を保持する係合部４２、４３が形成されている。他方、仕切壁２４の両側面には、各保持部３２の後壁２１Ａ端部に形成される係合爪２５と共に、他方の反射板２６を保持する係合部２７が突出形成されている。
【００３６】
このとき、係合部２７及び４２は、保持部材２１に保持されるＬＥＤ素子１７に近接して形成されると共に、当該ＬＥＤ素子１７からの照射光が保持部３２の開口部に至る照射経路を遮らない位置とされる。また、各保持部３２はそれぞれ開口部を構成する前壁が後壁２１Ａよりも長く形成されている。
【００３７】
これにより、各係合部２５、２７及び係合部４２、４３のそれぞれに取り付けられて一対を成す反射板２６、２８は、ＬＥＤ素子１７と、その側方から少許後方に向けて開口される開口部に至るＬＥＤ素子１７の光の照射経路の両側に位置して、ＬＥＤ素子１７から離間するに従って、相互に離間して設けられる。
【００３８】
そして、保持部材２１の外周には、両保持部３２の開口部及び後壁２１Ａを被覆する透光性の無色透明、又は、乳白色の材料により構成されたシェード３０が取り付けられる。本実施例においてシェード３０は、両保持部３２の前壁端部に形成される前記係合部４３前面（支柱８側の面）に着脱自在に係止され、図示しない化粧ビスなどにて保持部材２１に固定される。
【００３９】
ここで、ＬＥＤ素子１７からの光の照射方向であって上記保持部材２１の開口部に設けられるシェード３０は、図５に示すシェード３０の拡大断面図のように、本実施例では、その断面形状が、ＬＥＤ素子１７とは反対側の面において、ＬＥＤ素子１７の列の長手方向に進行する波形とされている。
【００４０】
特に、本実施例では、陳列室５中央部分よりも陳列室５上部及び下部に位置するシェード３０の波形断面形状は、ＬＥＤ素子１７の列の長手方向（この場合、上部については更に上方、下部については更に下方）に大きく屈折させる波形とされている。
【００４１】
本実施例では、ＬＥＤ素子１７の列、即ち、ＬＥＤ照明部材１６の長手方向に進行する波形の断面形状とされているが、波形に限定されるものではなく、ノコギリ刃状など所定の周期で凹凸形状とされているものであればよい。また、当該断面波形形状は、ＬＥＤ素子１７とは反対側の面に形成しているが、これに限定されるものではなく、ＬＥＤ素子１７側の面、もしくは、これら両面、又は、シェード３０全体が一連の断面波形を形成するものとしてもよい。
【００４２】
また、図３に示すように保持部材２１の上下端部は、カバー部材３１にて閉塞されている。なお、当該カバー部材３１には、内部に冷気の流通を可能とするための図示しない連通孔が形成されている。
【００４３】
係る構成により、照明装置１５の取付手順について説明する。ＬＥＤ素子１７が取り付けられた基板１８を保持部材２１の照明保持部４５、４６に係合させて固定する。このとき、ＬＥＤ素子１７の裏側に対応する位置の基板１８裏面は、保持部材２１の仕切壁２４に形成される放熱用リブ４８に当接している。
【００４４】
また、ＬＥＤ照明部材１６の基板１８から引き出されるリード線４９は、保持部材２１の前壁前部内に形成されるリード線収納部２３内に容易に格納される。
【００４５】
そして、一方の反射板２８を保持部材２１の反射板保持部４４の係合部４２、４３に係合させて固定するとと共に、他方の反射板２６を保持部２５、２７に係合させて固定する。これにより、リード線収納部２３内に収容されるリード線は、反射板保持部４４及び反射板２８によって隠蔽される。
【００４６】
なお、本実施例では、上述した如きＬＥＤ照明部材１６を保持部材２１に複数取り付けている。ただし、当該照明装置１５は、前面開口６の上端及び下端に渡って構成される単一のＬＥＤ照明部材１６により構成しても良いが、本実施例の如く複数のＬＥＤ照明部材１６により構成することで、生産コストの低減を図ることができると共に、取扱性の向上を図ることが可能となる。
【００４７】
そして、保持部材２１の各保持部３２、３２の開口部に、内方に収容されるＬＥＤ照明部材１６を外方から被覆するためのシェード３０を取り付ける。
【００４８】
その後、ＬＥＤ照明部材１６が取り付けられた保持部材２１を支柱８の後面に取り付ける。なお、実施例では、各ガラス扉７の両側に位置して照明装置１５を取り付けるため、陳列室５の前両隅角部には、一方向にのみ開口部を形成する一つの保持部３２から構成される保持部材を取り付ける。なお、このとき前隅角部に設けられる照明装置１５は、ＬＥＤ素子１７による照射光が陳列室５内方に向けて照射されるように取り付ける。
【００４９】
係る構成により、保持部材２１の各保持部３２に固定されるＬＥＤ照明部材１６のＬＥＤ素子１７からの光は、ガラス扉７の両側部後方より横方向（ガラス扉７に対し略平行）に向けて照射される。なお、本実施例では、支柱８の背面に対し略垂直に設けられる仕切壁２４に対し、少許後方（陳列室５側）に向けてＬＥＤ照明部材１６が傾斜して設けられている。これにより、陳列室５内に架設される棚９の前部に向けて照明装置１５からの光を照射するので、指向性の高いＬＥＤ素子１７からの光を棚９の前部に向けて照射することができる。従って、棚９上、特に最前部の商品を満遍なく良好に照明することが可能となり、商品の正面を効果的に照明することができる。これにより、商品の照明効果・陳列効果の向上を図ることができる。
【００５０】
また、ＬＥＤ素子１７からの光の照射方向に位置して設けられるシェード３０の断面形状は、ＬＥＤ素子１７の列の長手方向（本実施例では上下方向）に進行する波形とされているので、シェード３０によってＬＥＤ素子１７からの強い照射光を拡散することができ、眩しさを緩和することができる。また、係るシェード３０の断面波形形状によって、ＬＥＤ素子１７の列の長手方向に向けて光が屈折されるので、点光源であるＬＥＤ素子１７からの光の列を、線光源とすることで、光の不連続感、更には、光源の照度が集中することを緩和することができる。これにより、外観の向上を図ることができる。
【００５１】
特に、本実施例では、上述したように、照明装置１５の端部に位置する部分、即ち、上部及び下部のシェード３０の断面形状は、他の部分の断面形状よりも、ＬＥＤ素子１７からの光を当該ＬＥＤ素子１７の列の長手方向に大きく屈折させる波形とされている。
【００５２】
図５のシェード３０の断面図では、陳列室５上部、例えば陳列室５天井部と上から一段目の棚９との間に対応する部分のシェード３０の断面図を示している。ＬＥＤ素子１７からの照射光（実線矢印）がシェード３０のＬＥＤ素子１７側の面からの入射し、シェード３０のＬＥＤ素子１７とは反対側の面の波形形状の部分にてそれぞれの角度にて屈折している状態を示している。ここに示すように、シェード３０表面からの屈折光は、上方に行くに従い上向きとされている。
【００５３】
従って、照明装置１５上部の光を上方向に、照明装置１５下部の光を下方向に大きく屈折させることができ、天井方向、あるいは、陳列室５の床方向まで明るく照明することが可能となる。これにより、陳列室５全体をより明るく照明することが可能となり、陳列室５内を広く見せることが可能となる。
【００５４】
また、本実施例では、保持部材２１の各保持部３２、３２には、ＬＥＤ素子１７からシェード３０（開口部）に至る光の照射経路の両側に位置して、ＬＥＤ素子１７から離間するに従って相互に離間する一対の反射板２６、２８が取り付けられているので、ＬＥＤ素子１７からの照射光をこれら反射板２６、２８に反射させて、効果的に陳列室５内を照明することが可能となる。
【００５５】
陳列室５内には、シェード３０越しにＬＥＤ素子１７からの照射光が照射されるが、このとき、ＬＥＤ照明部材１６のリード線４９は、保持部材２１内に形成されるリード線収納部２３内に収容されているため、リード線４９がシェード３０越しに透けて見える不都合を回避することができ、外観の向上を図ることができる。
【００５６】
また、ＬＥＤ照明部材１６のメンテナンス時などにおいて、リード線４９を不用意に引っ張ってしまうなどの不都合を解消することができ、安全性の向上を図ることが可能となる。
【００５７】
ＬＥＤ照明部材１６を取り付ける保持部材２１は、熱良導性の金属により構成されていると共に、該保持部材２１には、ＬＥＤ素子１７の裏側に対応する位置の基板１８裏面に当接する放熱用リブ４８が形成されているので、ＬＥＤ素子１７への通電により発熱する基板１８からの廃熱を当該金属製の保持部材２１を伝って円滑に放熱させることが可能となる。従って、ＬＥＤ照明部材の劣化や故障を防止・抑制することができる。なお、放熱用リブ４８を介して伝達された廃熱は、保持部材２１に形成される放熱用通路３３及び保持部材２１の上下端に設けられるカバー部材３１の連通孔３２を介して陳列室５内を循環する冷気が流通可能とされているため、円滑に、ＬＥＤ照明部材１６の基板１８からの廃熱を放熱することが可能となる。
【００５８】
また、上述したように照明装置１５を構成するＬＥＤ素子１７は、蛍光灯に比して耐用年数が著しく長いため、照明の交換作業を不要とすることができる。そのため、交換部品の常備や交換によって排出される廃棄物の処理など煩雑な作業を不要とすることができる。
【００５９】
なお、本実施例では、ＬＥＤ照明部材１６を少許後方に向けて傾斜して縦方向に取り付けているが、これに限定されるものではなく、ガラス扉７に対し平行（横方向）に取り付けても良い。また、本実施例では、リーチインタイプのショーケースについて説明しているが、これに限定されるものではなく、例えばオープンショーケースなどにおいて当該照明装置１５を採用してもよい。
【図面の簡単な説明】
【００６０】
【図１】本発明を適用したショーケースの正面図である。
【図２】図１のショーケースの部分拡大断面図である。
【図３】照明装置のＬＥＤ素子を正面から見た図である。
【図４】支柱に設けられる照明装置の横断面図である。
【図５】照明装置のシェードの断面形状を示す図４のＢ−Ｂ断面図である。
【符号の説明】
【００６１】
１    ショーケース
５    陳列室
６    前面開口
７    ガラス扉
８    支柱
９    棚
１５  照明装置
１６  ＬＥＤ照明部材
１７  ＬＥＤ素子
１８  基板
２１  保持部材
２３  リード線収納部
２４  仕切壁
２５  係合爪
２６、２８  反射板
２７、４２、４３  係合部
３０  シェード
３１  カバー部
３２  保持部
４４  反射板保持部
４５、４６  照明保持部
４８  放熱用リブ
４９  リード線
【図１】
2009195273.tif 000003
【図２】
2009195273.tif 000004
【図３】
2009195273.tif 000005
【図４】
2009195273.tif 000006
【図５】
2009195273.tif 000007